(57)【特許請求の範囲】
【請求項１】
原油と、
水と、
グルコン酸、Ｃ２〜Ｃ４のα−ヒドロキシ酸類、チオグリコール酸からなる群から選ばれる少なくとも一つの化合物とを含む、静電融合を利用する脱塩処理に付すための原油エマルジョン。
【請求項２】
さらに無機酸を含んでいることを特徴とする請求項１に記載の原油エマルジョン。
【請求項３】
前記無機酸の含有量は、前記水のｐＨを６以下にすることのできる量であることを特徴とする請求項２に記載の原油エマルジョン
【請求項４】
前記化合物が１〜２０００ｐｐｍの範囲で前記原油エマルジョン中に存在していることを特徴とする請求項１〜３のいずれか１項に記載の原油エマルジョン。
【請求項５】
さらに、水又はアルコール系溶媒、腐食防止剤、抗乳化剤、スケール防止剤、金属キレート化剤、湿潤剤及びこれらの混合物からなる群から選ばれる少なくとも一つの成分を含んでいることを特徴とする請求項１〜４のいずれか１項に記載の原油エマルジョン。
【請求項６】
前記原油が、１０ｐｐｍ以上の鉄又はカルシウムを含んでいることを特徴とする請求項１〜５のいずれか１項に記載の原油エマルジョン。
【発明の詳細な説明】
【技術分野】
【０００１】
本発明は、炭化水素と水とのエマルジョンを分離する組成物を含む混合物に関し、より詳細には、一つの実施態様においては、エマルジョン破壊処理において金属及び／又はアミン類を水相に移層する組成物を含み、電場印加状態下の混合物に関する。
【背景技術】
【０００２】
原油精製においては、原油の脱塩処理を長年にわたって行ってきた。原油は通常、必ずしも限定されないが、以下に示すような様々な要因によって混入物が含まれている。
【０００３】
・地中の原油に混合した塩水が原因となって原油中に混入した塩水
・原油掘削機周辺にある無機物類、粘土、沈泥及び砂
・カルシウム、亜鉛、ケイ素、ニッケル、ナトリウム、カリウム等を含む金属類
・アミンユニット中の精製ガス流、又は、オーバヘッドシステム内の原油を中和するのに使用されたアミン、及び、油田で使用されたＨ２Ｓ除去装置から、Ｈ２Ｓを洗浄するのに、使用されたアミン類等の窒素含有化合物類
・精製、輸送及び貯蔵において、パイプライン及び処理容器が腐食して生じた硫化鉄及び酸化鉄
【０００４】
下流に配置された熱交換装置における付着物及び沈着物の原因になり、又は、原油処理装置に悪影響を及ぼす腐食剤の塩類が生成される可能性のある上記した塩類及び他の無機物類を除去するための後続処理を行う前に脱塩処理を行うことが必要である。さらに、これらの金属類は下流に配置された精製装置で使用される触媒に対して毒性物質として作用することもある。効果的に原油を脱塩することで、これらの毒性物質が原油装置及び下流に配置された装置に与える影響を最小限にとどめることができる。適切に脱塩処理を行うと、精製装置に対して、以下のような利点がもたらされる。
【０００５】
・原油装置における腐食の軽減
・原油予熱システムにおける付着物の軽減
・蒸留塔における損傷可能性の軽減
・エネルギー経費の軽減
・下流に配置された装置及び製品汚染の軽減
【０００６】
脱塩とは、混合弁を使って約５％（相対的）の洗浄水を原油中に分散させた別のエマルジョンを形成させることで、原油に含まれる水のナチュラルエマルジョンを分解させることである。混合エマルジョンは、並列の電気的に充電された平板を備えた脱塩容器に送られる。このように処理することで、原油と水のエマルジョンは印加された電場にさらされる。誘発双極子は、静電気引力と水滴の融合を起こすエマルジョン内の各水滴に発生され、だんだん大きくなる水滴を形成させる。最終的には、エマルジョンは二つの分離相−油相（上層）及び水相（下層）に分離する。脱塩された石油及び流出水は脱塩装置から別々に放出される。
【０００７】
全体的な脱塩処理は、バッチ処理とは対照的な連続的処理である。通常は、油／水のエマルジョンの分離に役立つ混合弁を使用する前に、静電融合を利用する他、化学添加物が注入される。これらの添加物には、油／水の界面張力を下げることによって小さな水滴をより簡単に融合させる効果がある。
【０００８】
粒子状固体を高い割合で含む原油の脱塩処理は煩雑になることがある。粒子状固体は本来水相に移層するものである。しかし、油田から産出された原油に含まれる多くの固体は、堅固な油中水エマルジョン中に存在する。つまり、原油に高濃度で含まれる原油で湿潤した固体によって、分解しにくい堅固な油中水エマルジョンが形成されることもある。これらの堅固なエマルジョンはよく「ラグ（微小固形物）」と呼ばれ、分離された油相と水相の間に層として存在していることもある。脱塩容器内のラグ層がある程度多くなってしまうと、その一部が水相に移層されてしまうこともある。このことは、ラグ層が依然高濃度の未分離乳化油を含んでいるため、排水処理プラントにとって問題となる。
【０００９】
このように、原油脱塩処理中の多くの固体は、鉄からなり、このほとんどが酸化鉄、硫化鉄等の粒子状の鉄である。望ましく除去された他の金属類は、必ずしも限定されないが、カルシウム、亜鉛、ケイ素、ニッケル、ナトリウム、カリウム等であり、主にこれらの金属類が多く存在している。金属類のいくつかは水溶性の形態をとって存在してもよい。金属類は、無機化合物又は有機化合物として存在してもよい。鉄及び他の金属類は、脱塩処理を複雑にすると共に、下流に配置された処理工程においても重大な懸念事項である。処理された炭化水素に残存する鉄及び他の金属類が低品質のコークスを産出させてしまうため、この下流に配置された処理工程にはコークス処理が含まれる。炭化水素処理の初期段階で原油から金属類を容易に除去することは、腐食及び付着物が発生するという問題を抑えるだけでなく、最終的に高品質のコークスを産出させるために望まれている。
【００１０】
金属の全体含有量を減らすための様々な処理が試されてきたが、これらのすべては脱塩装置における金属類の除去を中心としたものである。通常、脱塩装置は、塩化ナトリウム又は塩化カリウム等の水溶性無機塩だけを除去するのに使用される。水中ではなく油中で微粒子として可溶又は分散するナフテン酸カルシウム及びナフテン酸鉄等の不溶性金属有機酸塩を含む原油もある。
【００１１】
したがって、脱塩処理において、水相に原油のオイルキャリアンダがほとんど又は全くなく、原油に含まれる多くの又は全ての金属類を油相から移層する組成物及びそれを用いた方法の開発が望まれている。これまで、ノニルフェノール樹脂類が脱塩添加物として使用されていたが、これらの樹脂類は擬似ホルモンの可能性があるし、それらのみではカルシウムや鉄等の金属類を効果的に除去することができない。
【発明の概要】
【発明が解決しようとする課題】
【００１２】
本発明の目的は、脱塩処理において、原油に含まれる大部分の金属類及び／又はアミン類を水相に移層する組成物を含み、電場印加状態下の混合物を提供することにある。
【００１３】
本発明の別の目的は、エマルジョン破壊処理において、水相に原油のオイルキャリアンダを生じさせることなく、金属類及び／又はアミン類を炭化水素から水相に移層する組成物を含み、電場印加状態下の混合物を提供することにある。
【課題を解決するための手段】
【００１４】
本発明のこれらの目的及び他の目的を実施するにあたって、一実施態様において、炭化水素と水とのエマルジョンを添加することで金属類及び／又はアミン類を炭化水素相から水相へ移層する方法、及び、少なくとも一つの水溶性ヒドロキシ酸を含む、金属類及び／又はアミン類を炭化水素相から水相へ移層する組成物の有効量を提供する。前記水溶性ヒドロキシ酸は、グリコール酸、グルコン酸、Ｃ２〜Ｃ４のα−ヒドロキシ酸類、ポリヒドロキシカルボン酸類、チオグリコール酸、クロロ酢酸、上記ヒドロキシ酸類の重合体、ポリグリコールエステル類、グリコールエーテル類、これらヒドロキシ酸類のアンモニウム塩及びアルカリ金属塩、及びこれらの混合物であってもよい。前記エマルジョンは炭化水素相と水相に分解される。この場合、少なくとも金属類及び／又はアミン類の一部が水相に移層される。これは、ナフテン酸カルシウム等の水不溶性塩をグルコール酸カルシウム等の水溶性塩に変化させることで達成される。
【００１５】
本発明の特に限定されない別の実施態様においては、水溶性ヒドロキシ酸（上記したように、ヒドロキシ酸の塩も含む）及び無機酸を含む、金属類及び／又はアミン類を炭化水素相から水相に移層する組成物を提供する。
【００１６】
本発明の特に限定されない別の実施態様においては、水溶性ヒドロキシ酸（上記したように、ヒドロキシ酸の塩も含む）、並びに、炭化水素系溶媒、腐食防止剤、抗乳化剤、スケール防止剤、金属キレート化剤、湿潤剤及びこれらの混合物であってもよい少なくとも一つの添加剤を含む、金属類及び／又はアミン類を炭化水素相から水相に移層する組成物を提供する。
【００１７】
本発明の特に限定されない別の実施態様においては、炭化水素と、水と、水溶性ヒドロキシ酸（上記したように、ヒドロキシ酸の塩も含む）を含む、金属類及び／又はアミン類を炭化水素相から水相に移層する組成物とを含む、処理された炭化水素エマルジョンを提供する。
【図面の簡単な説明】
【００１８】
【図１】図１は、脱塩装置による様々なアミン類及びアンモニアの分配をｐＨの関数として示すグラフである。
【発明を実施するための形態】
【００１９】
本発明の発明者は、原油を精製装置で脱塩する際に、グリコール酸（ヒドロキシ酢酸）及び他の水溶性ヒドロキシ酸類を原油に加えると、カルシウムやその他の金属、及び／又は、炭化水素中のアミン類の含有量を著しく減少させられることを見出した。本発明の発明者は、カルシウムを標準含有量より多く含む基準原油を「通常の」脱塩処理と比較し、最小限のカルシウムしか除去されないことを見出した。グリコール酸をカルシウムに対し５：１の割合まで加えると、脱塩された石油に含まれる金属及び／又はアミンの含有量を大幅に減少させることができる。また、鉄、亜鉛、ケイ素、ニッケル、ナトリウム及びカリウム等のカルシウム以外の金属における含有量も減少させることができる。本発明の特に限定されない具体的な実施態様は、酸化鉄、硫化鉄等の微粒子状の鉄を除去することである。炭化水素又は原油から金属及び／又はアミンを「除去する」ことは、炭化水素又は原油から一種以上の金属を、いかなる程度にも、分配する、隔離する、分離する、移す、除去する、分割する及び除去するありとあらゆることを意味している。
【００２０】
グリコール酸は水性添加物であり、脱塩装置の洗浄水に典型的に添加される。水相にグリコール酸を添加することは、本発明を実施するための組成物の必要条件とされるものではないが、これにより原油に含まれる酸の分配率を改善できる。
【００２１】
本発明の組成物及び方法は、高濃度の金属、アミン類及び鉄をベースにした固形物を含む固形物を元々含んでいた原油から高品質（すなわち、高純度）のコークスを製造するのに有益である。さらに本発明によって、廃棄物処理プラントにいかなる石油やエマルジョンを一切排出することなく、原油から無機物を除去する技術を向上させることができる。
【００２２】
本発明において、金属としては、周期律表（ＣＡＳ版）のＩＡ族、ＩＩＡ族、ＶＢ族、ＶＩＩＩ族、ＩＩＢ族及びＩＶＡ族の金属元素が挙げられるが、必ずしもこれらに限定されない。他の限定されない実施態様において、金属としては、カルシウム、鉄、亜鉛、ケイ素、ニッケル、ナトリウム、カリウム、バナジウム及びこれらの組み合わせが挙げられるが、必ずしもこれらに限定されない。特に、ニッケル及びバナジウムは、下流側に配置される流動接触分解装置（ＦＣＣＵ）で用いられる触媒毒として知られている。
【００２３】
本発明の方法により除去されるアミン類としては、モノエタノールアミン（ＭＥＡ）、ジエタノールアミン（ＤＥＡ）、トリエタノールアミン（ＴＥＡ）、Ｎ−メチルエタノールアミン、Ｎ，Ｎ−ジメチルエタノールアミン（ＤＭＥＡ）、モルホリン、Ｎ−メチルモルホリン、エチレンジアミン（ＥＤＡ）、メトキシプロピルアミン（ＭＯＰＡ）、Ｎ−エチルモルホリン（ＥＭＯ）、Ｎ−メチルエタノールアミン、Ｎ−メチルジエタノールアミン及びこれらの組み合わせが挙げられるが、必ずしもこれらに限定されない。
【００２４】
本発明の一実施態様において、本発明の組成物は水溶性ヒドロキシ酸を含んでいる。本発明において、ヒドロキシ酸類は酢酸を含まず、除外するものとする。酢酸は、金属を除去するのに時々利用されることもあるが、油溶性が非常に高く、脱塩装置で留出された炭化水素と共に残留しやすい。そのため、酢酸の酸性度によって、原油装置が腐食するという問題が生じることがある。水溶性ヒドロキシ酸類は、非常に高い水溶性を有し、原油中にはそれほど分配されることはない。その結果、下流に配置される装置に与える影響を低減することができる。また、ヒドロキシ酸類は、揮発性が低く、原油ユニットオーバシステムには留出されない。この原油ユニットオーバシステムは、ヒドロキシ酸類がこのシステムに通常存在する水と結合した場合、腐食速度が増加することがある。
【００２５】
本発明の好ましく特に限定されない一実施態様において、水溶性ヒドロキシ酸は、グリコール酸を含むＣ２〜Ｃ４のα−ヒドロキシ酸類、ポリヒドロキシカルボン酸類、チオグリコール酸、クロロ酢酸、これらヒドロキシ酸類の重合体、グリコールエーテル、ポリグリコールエステル、及びこれらの混合物からなる群より選択される。チオグリコール酸及びクロロ酢酸は、厳密に言うとヒドロキシ酸類ではないが、ヒドロキシ酸類と同等の機能を有するので、本発明の目的に照らして、これらもヒドロキシ酸類と定義する。Ｃ２〜Ｃ４のα−ヒドロキシ酸におけるα位の置換基は、Ｃ１〜Ｃ４の直鎖アルキル基又は分枝鎖アルキル基のいずれであってもよい。本発明の限定されない一実施態様においては、α位の置換基は、Ｃ２〜Ｃ４の直鎖アルキル基又は分枝鎖アルキル基であってもよいが乳酸は含まない。グルコン酸、ＣＨ２ＯＨ(ＣＨＯＨ)４ＣＯＯＨは、特に限定されないが好ましいグリコール酸の重合体である。グリコールエーテルは以下の化学式を有していてもよい。
【００２６】
【化１】
0005574624.tif 000002
ここで、ｎは１〜１０である。グリコールエステルは以下の化学式を有していてもよい。
【００２７】
【化２】
0005574624.tif 000003
ここで、ｎは上記と同様である。チオグリコール酸、及び、グリコール酸のエーテル類は、沸点が高いため添加する効果が高く、水溶性が向上することがある。沸点が高いとは、添加物が常圧蒸留装置における分留に留出せず、腐食又は製品の品質に影響を与えないことを意味する。また水溶性が高いと、脱塩装置内の原油から添加物を除去しやすく、下流に配置される処理装置に達する添加物の量も減少する。
【００２８】
特に、水溶性ヒドロキシ酸類としては、これらヒドロキシ酸類単独のアンモニウム塩、アルカリ金属塩（すなわち、ナトリウム塩及びカリウム塩等）、又はこれらと上記の他の水溶性ヒドロキシ酸類との組み合わせが挙げられる。水酸化ナトリウム、水酸化カリウム、アンモニア等のｐＨ調整剤によって装置内のｐＨが調整されるため、このような塩は、脱塩装置の洗浄水中で形成されることもある。
【００２９】
別の限定されない実施態様においては、水溶性ヒドロキシ酸類としては、クエン酸、リンゴ酸、酒石酸、マンデル酸及び乳酸を含まない。
【００３０】
本発明の限定されないまた別の実施態様においては、グルコール酸及びグルコン酸は、原油又は別の炭化水素からカルシウム及びアミン類を除去するのに使用されてもよく、またチオグリコール酸は、原油又は別の炭化水素から鉄を除去するのに使用されてもよい。
【００３１】
水溶性ヒドロキシ酸類は、市販されている、腐食防止剤、抗乳化剤、ｐＨ調整剤、金属キレート化剤、スケール防止剤、炭化水素溶剤及びこれらの混合物を含む（これらに限定されない）他の添加物と共に使用されてもよい。金属キレート化剤は、金属と錯体を形成し、キレートを構成する化合物である。特に、酸性を示すｐＨであるときに金属が最も除去されるので、無機酸を使用してもよい。水溶性ヒドロキシ酸類、特にグリコール酸又はグルコン酸と無機酸とを組み合わせて使用すると工業的用途として最も経済的である。本発明の水溶性ヒドロキシ酸類と共に使用される好適な無機酸として、硫酸、塩酸、リン酸、硝酸、亜リン酸及びこれらの混合物が挙げられるが、必ずしもこれらに限定されない。上記したように、本発明の一実施態様においては、本発明の方法は、洗浄水で原油エマルジョンを洗浄する工程を含む脱塩精製処理で実施される。本発明の特に限定されない一実施態様においては、使用される無機酸の量は、洗浄水のｐＨを６以下にできる量であればよい。以下に記載するように、本発明のいくつかの実施態様においては、洗浄水のｐＨを５以下又は４以下にすることが必要又は好ましい。水溶性ヒドロキシ酸類（及びその塩）は、広範囲のｐＨ領域で有効であるが、場合によっては、ｐＨを調整して所望の混入物を移層し、又は分離することが必要又は望ましい。
【００３２】
前記ヒドロキシ酸及び／又は無機酸の必要な割合、効果的な割合又は所望の割合を事前に予測することは困難な場合があると考えられる。それは、この割合又は使用量が、炭化水素の性質、除去される金属種及びアミンの濃度、温度条件及び圧力条件、使用される特有のヒドロキシ酸及び無機酸等の特に限定されない多くの要因に依存しているからである。一般に、カルシウム等の除去される金属種が多いほど、添加するべき反応性の酸も多くなる。多くの好ましくない金属種が影響を受けるので、金属除去処理を達成するには、対象とする金属種のみの濃度から求められるよりも、化学量論に基づく反応性の酸を多く必要とすることもある。したがって、ｐＨを６未満に調整できる量の酸をただ添加しただけでは不十分である。このような状況ではあるが、本発明の特に限定されない一実施態様において、使用される割合のいくつかの例をあげると、組成物は、下限が約１質量％の水溶性ヒドロキシ酸及び上限が約２０質量％の無機酸を含んでいてもよい。前記組成物は、好ましくは、約１〜１００質量％の水溶性ヒドロキシ酸と約１〜２０質量％の無機酸とを含み、特に好ましくは、約２５〜８５質量％の水溶性ヒドロキシ酸と約１５〜７５質量％の無機酸とを含んでいる。本発明の特に限定されないいくつかの実施態様においては、無機酸は任意であり用いなくてもよい。
【００３３】
本発明の添加混合物は、正確な方法により混合弁の上流側で洗浄水に注入され、又は、水、アルコール又は溶液内で全ての添加物成分を維持するのに適した類似の溶媒で希釈される。使用される溶媒量は、組成物全体量の約１０〜９５質量％であり、好ましくは約２０〜１０質量％である。
【００３４】
原油に使用される本発明の添加混合物組成物の有効な濃度をあらかじめ予測することは大変困難である。これは、原油の組成、脱塩条件（温度、圧力等）、脱塩装置における原油の流速及び滞留時間を含む特に限定されない多様で相関関係を持つ要因に依存するからである。このような状況ではあるが、特に限定されない実例においては、（いかなる溶媒又は無機酸も含んでいない）原油に使用される反応性の水溶性ヒドロキシ酸の使用量は、約１〜２０００ｐｐｍ−ｗであり、好ましくは約１０〜５００ｐｐｍ−ｗであり、除去される金属種の濃度に依存することがある。有機ヒドロキシ酸は、除去される有機金属種及び／又はアミン種と化学量論的に反応する。したがって、除去される金属種の濃度と比較して有機ヒドロキシ酸を等量添加しなければならない。酸がわずかに余剰であると反応は確実に終了する。本発明の特に限定されない一実施態様においては、水溶性ヒドロキシ酸の使用量は、存在する金属及び／又はアミンの量と化学量論量であるか、又はそれよりも多い。経済的観点から、炭化水素に含まれる混入物が許容し得る低濃度で残存している状態において、いくつかの金属又はアミンを原油中に残存させるように精製装置を決定してもよい。これらの場合には、ヒドロキシ酸類の使用量を相対的に減らすことができる。もちろん、本発明の実施例においては、水相にはオイルキャリアンダが全く存在しないことが特に好ましく、少なくともオイルキャリアンダは最小限であることが特に好ましい。さらに、全ての金属類及び／又はアミン類が水相に移層することが好ましい一方で、本発明の限定されない見解では、金属類及び／又はアミン類の一部が油相から微小固形物に変化してもよい。金属類及び／又はアミン類は微小固形物を分離した際に除去される。
【００３５】
もちろん、本発明の実施にあたっては、全ての金属類及び／又はアミン類が水相に移層することが特に好ましい。本発明の特に限定されない別の実施形態においては、２５％以下の金属及び／又はアミンが脱塩後に炭化水素相に存在し、２０％以下の金属及び／又はアミンが残存することが好ましく、わずか１０％以下の金属及び／又はアミンが残存することが特に好ましい。場合によっては、生じる問題点が経済的に許容できる範囲内であれば、より高濃度の金属及び／又はアミン混入物を原油中に残存させるように精製装置を決定してもよい。
【実施例】
【００３６】
以下の実施例を引用して本発明について更に説明するが、これによって本発明は限定されるものではなく、更に詳細に説明するものである。
【００３７】
以下の静電脱塩脱水装置（ＥＤＤＡ）の試験方法は、使用可能性のある混合組成物を選別するために採用された。ＥＤＤＡは、脱塩工程を模擬実験するめの実験室試験装置である。
【００３８】
＜ＥＤＤＡ試験方法＞
１．洗浄水分（ＥＤＤＡが保持する管の数に依存する）を差し引いて、８００ｍＬ、６００ｍＬ又は４００ｍＬの試験対象原油をワーリングブレンダに加える。
２．必要な割合の洗浄水をこのブレンダに加え、全容積を８００ｍＬ、６００ｍＬ、４００ｍＬにする。
３．（バリアック上で）５０％の速度で３０秒間混合する。混合弁のΔＰが低い場合は速度を落としてもよい。
４．混合物をＥＤＤＡ管に注ぎ、１００ｍＬの目盛りの真下にあわせる。
５．所望の試験温度（９９℃）にあるＥＤＤＡ加熱ブロックに管を設置する。
６．各管に所望の量（ｐｐｍ）の抗乳化剤を加える。試験ごとに比較目的でブランクを入れる。
７．管内にねじ蓋付き電極を取り付け、試料を約１５分加熱する。
８．蓋を確実に閉め、各管を１００〜２００回振った後、加熱ブロックに再設置し５分間再加熱する。
９．電極カバを管上にかぶせて定位置に固定する。確実にカバと電極キャップが接触するようにする。
１０．時間を５分間に設定し、１５００〜３０００ボルト（試験条件に依存する）で試験を行う。
１１．５分間の試験が終わった後、管を取り出して水滴の割合を調べる。また、界面の質及び水の量を調べ記録する。
１２．工程９、１０及び１１を、合計して所望の滞留時間になるまで繰り返す。
１３．最も適した試料を選択し、これら試料の脱水処理を行う。
ａ）所望数の１２．５ｍＬ遠心分離管をキシレンで５０％の目盛りなるように満たす。
ｂ）ガラス注射器を用いて、管内の所望の目盛りから脱水された原油試料５．８ｍＬを吸引し、遠心分離管でキシレンと混合する。
ｃ）２０００ｒｐｍで４分間にわたって管を遠心分離する。
ｄ）水、エマルジョン及び管の底部に存在する固体を確認し、記録する。
【００３９】
＜カルシウムの分析＞
ＥＤＤＡ試験の終了後、ガラス注射器及びカニューレ（長く幅広の穴があいた針）を使用して、脱塩された原油２０ｍＬを２つ分取り出す。ＥＤＤＡ管の油表面より下の油を２５ｍＬ及び７０ｍＬずつ抽出する。二つの試料（上取り分及び下取り分）を、適切な方法（湿式灰化又はマイクロ波分解、酸性化、希釈、ＡＡ又はＩＣＰ分析）で、カルシウムの濃度を分析する。同様の手順で、アミン塩等の他の混入物をイオンクロマトグラフィで分析可能な油試料及び水試料を調製する。
【００４０】
使用された原油は、カルシウム含量が高いアフリカ原産の原油であった。
【００４１】
添加物Ａは、７０％のグリコール酸及び中和水である。
【００４２】
添加物Ｂは、グリコール酸、リン酸（ｐＨ調整剤）、ピリジン第４級アンモニウム化合物（腐食防止剤）、ジノニルフェノール／エチレンオキシドオキシアルキレート（共溶媒）、イソプロピルアルコール及び水の混合物である。
【００４３】
【表１】
0005574624.tif 000004
【００４４】
【表２】
0005574624.tif 000005
【００４５】
表３〜６は、本発明の水溶性ヒドロキシ酸を使用することによって、様々な金属類を炭化水素相から水相に移層することを示す追加データである。様々な成分については以下に規定する通りである（全ての割合は、体積百分率である）。
【００４６】
添加物Ｃは、７０％グリコール酸及び３０％の水である。
【００４７】
添加物Ｄは、７５％の添加物Ｃ、２０％のアクリル酸重合体のスケール防止剤（単独でＳＩ１と示す）、１．８％のアルキルピリジン第４級アンモニウム塩の腐食防止剤及び３．２％のオキシアルキル化したアルキルフェノールの界面活性剤である。
【００４８】
添加物Ｅは、７２％のリン酸のスケール制御剤／ｐＨ調整剤、１４％のオキシアルキル化したポリアルキレンアミン及び１４％のＳＩ１である。
【００４９】
添加物Ｆは、１０％のシュウ酸、２０％のチオグリコール酸、１０％のグリコール酸、１．５％のアルキルピリジン第４級アンモニウム塩の腐食防止剤及び５８．５％の水である。
【００５０】
ＤＡからＤＦは、抗乳化剤ＡからＦを示しており、これらは全てオキシアルキル化された様々なアルキルフェノール樹脂である。本発明の添加物と共に使用する際は、抗乳化剤Ａを添加物Ｄと使用する場合をＤＡ／Ｄ等と短縮して次の欄にｐｐｍ比で示している。
【００５１】
ＳＩ２は、ジアンモニウムエチレンジアミンテトラ酢酸（ＥＤＴＡ）を含むスケール防止剤２である。
【００５２】
ＳＩ３は、アミンホスホン酸塩のスケール防止剤を含むスケール防止剤３である。
【００５３】
ＳＲＡ１は、スケール除去添加物１であり、リン酸、グリコール酸及び抗乳化剤とアルキルピリジン第４級アンモニウム塩の腐食防止剤との混合物である（添加物Ｄと同様）。
【００５４】
【表３】
0005574624.tif 000006
【００５５】
【表４】
0005574624.tif 000007
【００５６】
【表５】
0005574624.tif 000008
【００５７】
【表６】
0005574624.tif 000009
【００５８】
上述のように、本発明を具体的な実施例を引用して説明した。また、特に限定されない実施例として、ベンチスケール脱塩試験において、金属類、すなわちカルシウム、カリウム等及び／又はアミン類を原油から水相に移層するのに効果的であることを示した。しかし、添付した請求の範囲に記載した発明の広範囲な思想又は範囲から逸脱しない限り、様々な変形及び変更が可能である。したがって、本願明細書は、限定的な思想というより実例としてみなされるものである。例えば、金属類及び／又はアミン類を水相に移層することを特定用途において特に確認又は試みていないが、具体的な水溶性ヒドロキシ酸類、及び、これらのヒドロキシ酸類と具体的に例示又は記載した酸以外の他の無機酸との組み合わせ、あるいは、規定した百分率の範囲内での異なる割合は、本発明の範囲に含まれる。同様に、原油エマルジョン以外の他の液体に対しても、本発明の組成物に金属移層組成物としての有用性を見出すことも可能である。
【図１】
0005574624.tif 000010